(57)【特許請求の範囲】
【請求項１】
携帯端末が読み取り可能な外部記録媒体であって、
前記外部記録媒体が装着された携帯端末に、
公衆回線網との通信を可能にするための通信用アプリケーション以外のアプリケーションをインストールするインストールステップと、
前記インストールステップが完了した後に前記公衆回線網への接続を確立する接続確立ステップと、を実行させるためのプログラムを記録した外部記録媒体。
【請求項２】
前記アプリケーションがインストールされていることを確認するインストール状況確認ステップを実行させるためのプログラムと、
前記インストール状況確認ステップにおいて、前記アプリケーションがインストールされていることを確認した場合に前記接続確立ステップを実行させるためのプログラムと、を更に記録した請求項１に記載の外部記録媒体。
【請求項３】
前記アプリケーションの利用開始を受け付ける利用開始ステップを実行させるためのプログラムと、
前記利用開始ステップが実行された場合に前記接続確立ステップを実行させるためのプログラムと、を更に記録した請求項１又は２に記載の外部記録媒体。
【請求項４】
前記アプリケーションにログインしたか否かを確認するログイン状況確認ステップを実行させるためのプログラムと、
前記ログイン状況確認ステップにおいて、前記アプリケーションにログインしたことを確認した場合にのみ前記接続確立ステップを実行させるためのプログラムと、を更に記録した請求項１から３のいずれか一項に記載の外部記録媒体。
【請求項５】
携帯端末が読み取り可能な外部記録媒体であって、
前記外部記録媒体が装着された携帯端末に、
アプリケーションをインストールするインストールステップと、
前記インストールステップが完了した後に公衆回線網への接続を確立する接続確立ステップと、を実行させるためのプログラムと、
前記アプリケーションにログインしたか否かを確認するログイン状況確認ステップを実行させるためのプログラムと、
前記ログイン状況確認ステップにおいて、前記アプリケーションにログインしなかった場合に、
前記接続確立ステップの前に、前記携帯端末から前記公衆回線網への接続上限時間を設定する接続上限時間設定ステップと、
前記接続確立ステップの後に、前記携帯端末から前記公衆回線網への接続時間が前記接続上限時間に達した時点で、前記携帯端末から前記公衆回線網への接続を切断する接続切断ステップと、を実行させるためのプログラムと、を記録した外部記録媒体。
【請求項６】
前記公衆回線網への接続が、航空機又は車両に設置された無線ＬＡＮアクセスポイントを介した接続である請求項１から５のいずれか一項に記載の外部記録媒体。
【請求項７】
携帯端末が読み取り可能な外部記録媒体であって、
前記外部記録媒体が装着された携帯端末に、
アプリケーションをインストールするインストールステップと、
前記インストールステップが完了した後に公衆回線網への接続を確立する接続確立ステップと、を実行させるためのプログラムを記録し、
前記公衆回線網への接続が、航空機又は車両に設置された無線ＬＡＮアクセスポイントを介した接続であって、
前記インストールステップの前に、前記航空機又は車両に設置された無線ＬＡＮアクセスポイントから前記航空機又は車両に関する情報を取得する情報取得ステップと、
前記航空機又は車両に関する情報に基づいて前記航空機又は車両の行き先を特定する行き先特定ステップと、
前記行き先に応じて前記インストールステップにおいて前記携帯端末にインストールさせるアプリケーションを選択するアプリケーション選択ステップと、を実行させるためのプログラムと、
前記アプリケーション選択ステップにおいて選択されたアプリケーションを対象として前記インストールステップを実行させるためのプログラムと、を更に記録した外部記録媒体。
【請求項８】
前記インストールステップにおいて、前記携帯端末と外部サーバとの間の通信を許可し前記外部サーバに格納されたデータをダウンロードさせるためのプログラムを更に記録した請求項１から７のいずれか一項に記載の外部記録媒体。
【請求項９】
請求項１から８のいずれか一項に記載の外部記録媒体を備える携帯端末。
【請求項１０】
外部記録媒体が装着可能な携帯端末に搭載されるプロセッサにより、
前記外部記録媒体に記録されている情報に基づいて、公衆回線網との通信を可能にするための通信用アプリケーション以外のアプリケーションをインストールするインストールステップと、
前記インストールステップが完了した後に前記公衆回線網への接続を確立する接続確立ステップと、
を実行する通信制御方法。
【発明の詳細な説明】
【技術分野】
【０００１】
本発明は、外部記録媒体、該外部記録媒体を備える携帯端末、及び通信制御方法に関する。
【背景技術】
【０００２】
携帯端末の普及に伴って携帯端末向けアプリケーションの開発及びリリースが盛んに行われており、アプリケーションのユーザ獲得競争が激化していることから、ユーザにアプリケーションを利用してもらうための手段が種々検討されている。
【０００３】
例えば、特許文献１には、ユーザが携帯端末のアプリケーションを利用する動機付けを高めることを目的として、ユーザがまだ利用していないアプリケーションの報酬を当該ユーザに対して仮付与することにより、ユーザに対して当該アプリケーションの興味を持たせるようにして、当該アプリケーションを利用させる動機付けを高める技術が開示されている。
【先行技術文献】
【特許文献】
【０００４】
【特許文献１】特開２０１５−１１５４３号公報
【発明の概要】
【発明が解決しようとする課題】
【０００５】
アプリケーションの利用者を更に拡大するためには、ユーザにアプリケーションを認知してもらう機会を増やす必要がある。また、近年は日本へ来訪する海外からの旅行者が増加していることに鑑み、本発明者は、国内ユーザをターゲットとした従来の宣伝広告活動だけではなく、旅行者を訴求対象としたアプリケーションの普及活動が有効であると考えた。しかしながら、上記特許文献１の技術ではユーザがどのようなアプリケーションを利用しているかを把握する必要があるため、例えば、アプリケーションの利用状況の把握が困難な旅行者のユーザに対してアプリケーションの利用を促すことは困難である。
【０００６】
そこで、本発明は、携帯端末向けアプリケーションの認知度を向上させ、アプリケーションの普及を図る技術を提供することを主目的とする。
【課題を解決するための手段】
【０００７】
本発明は、携帯端末が読み取り可能な外部記録媒体であって、前記外部記録媒体が装着された携帯端末に、アプリケーションをインストールするインストールステップと、前記インストールステップが完了した後に公衆回線網への接続を確立する接続確立ステップとを実行させるためのプログラムを記録した外部記録媒体である。
【０００８】
また、本発明は、前記外部記録媒体を備える携帯端末の発明として捉えてもよい。
【０００９】
また、本発明は、外部記録媒体が装着可能な携帯端末に搭載されるプロセッサにより実行される通信制御方法の発明として捉えてもよい。前記通信制御方法では、前記外部記録媒体に記録されている情報に基づいてアプリケーションをインストールするインストールステップと、前記インストールステップが完了した後に公衆回線網への接続を確立する接続確立ステップとが実行される。
【発明の効果】
【００１０】
本発明によれば、携帯端末向けアプリケーションの認知度を向上させ、アプリケーションの普及を図る技術を提供することができる。
【図面の簡単な説明】
【００１１】
【図１】図１は、外部記録媒体及び携帯端末を含む全体構成の一例を示す概略図である。
【図２】図２は、外部記録媒体及び携帯端末の機能構成の一例を示すブロック図である。
【図３】図３は、第１実施形態に係る携帯端末における処理手順の一例を示すフローチャートである。
【図４】図４は、第２実施形態に係る携帯端末における処理手順の一例を示すフローチャートである。
【図５】図５は、第３実施形態に係る携帯端末における処理手順の一例を示すフローチャートである。
【図６】図６は、第４実施形態に係る携帯端末における処理手順の一例を示すフローチャートである。
【図７】図７は、第５実施形態に係る携帯端末における処理手順の一例を示すフローチャートである。
【図８】図８は、第６実施形態に係る携帯端末における処理手順の一例を示すフローチャートである。
【図９】図９は、第７実施形態に係る携帯端末における処理手順の一例を示すフローチャートである。
【発明を実施するための形態】
【００１２】
以下、本発明を実施するための形態について図面を参照しながら説明する。なお、以下に説明する実施形態は、本発明の実施形態の一例を示したものであり、これにより本発明の範囲が狭く解釈されることはない。
【００１３】
＜全体構成＞
まず、図１を参照して、本実施形態に係る外部記録媒体１００及び携帯端末２００を含む全体の構成について説明する。図１に示されるように、本実施形態に係る外部記録媒体１００は、携帯端末２００が読み取り可能な媒体であり、携帯端末２００と公衆回線網３００との間の接続を確立するために必要な情報が記録されている。携帯端末２００と公衆回線網３００との間には無線ＬＡＮアクセスポイントが介在してもよい。上記無線ＬＡＮアクセスポイントは、航空機又は車両に設置されたものであってもよい。
【００１４】
外部記録媒体１００としては、例えば、ＳＩＭカード（Subscriber Identify Module Card）が挙げられる。なお、ＳＩＭカードは、電話番号などの固有ＩＤを特定可能な情報が記録されたカードであり、携帯端末２００は、適正なＳＩＭカードが挿入されることによって公衆回線網３００を介する通話又は通信などが可能となる。携帯端末２００としては、例えば、スマートフォン、携帯電話、タブレット型コンピュータ、パーソナルコンピュータなどが挙げられる。なお、外部記録媒体１００は、携帯端末２００に挿入可能なものに限らず、携帯端末２００に装着されることにより情報が読み取り可能になるＵＳＢメモリなどであってもよい。
【００１５】
＜機能構成＞
次に、図２を参照して、外部記録媒体１００及び携帯端末２００の機能構成について説明する。図２は、外部記録媒体１００及び携帯端末２００の機能構成の一例を示すブロック図である。
【００１６】
外部記録媒体１００には、携帯端末２００がアプリケーションをインストールするために必要な情報と、携帯端末２００にアプリケーションをインストールさせるためのプログラムと、携帯端末２００に公衆回線網３００との間の接続を確立させるためのプログラムと、が非一時的に記録されている。
【００１７】
アプリケーションをインストールするために必要な情報としては、例えば、アプリケーションデータ、又はアプリケーションデータが格納されているサーバにアクセスするためのＵＲＬなどが挙げられる。携帯端末２００は、外部記録媒体１００に記録されたアプリケーションデータを読み込むこと、又は外部記録媒体１００に記録されたＵＲＬにアクセスしてアプリケーションデータをダウンロードすることによってアプリケーションをインストールすることができる。外部記録媒体１００に記録されるアプリケーションの種類は、１種類でもよく２種類以上でもよい。アプリケーションをインストールするために携帯端末２００が読み込まなければならない情報の全てが外部記録媒体１００に記録されており、ネットワークに接続せずとも、携帯端末２００が外部記録媒体１００からアプリケーションをインストールすることができる構成としてもよい。
【００１８】
更に、外部記録媒体１００には、携帯端末２００の制御部２２０が実行する他の各種プログラムが記録されていてもよい。他の各種プログラムについては、後述する携帯端末２００の機能構成において詳説する。
【００１９】
携帯端末２００は、外部記録媒体接続部２１０と、制御部２２０と、記憶部２４０と、通信部２５０と、表示部２６０と、入力部２７０と、を備える。
【００２０】
外部記録媒体接続部２１０は、外部記録媒体１００と携帯端末２００とを通信可能に接続する。例えば、図示はしないが、外部記録媒体１００が携帯端末２００に挿入して装着された場合に、携帯端末２００が備える接続端子と外部記録媒体１００が備える接続端子とが接触することによって、外部記録媒体１００と携帯端末２００とが通信可能に接続される。
【００２１】
制御部２２０は、携帯端末２００においてプログラムの演算処理を実行するＣＰＵ（Ｃｅｎｔｒａｌ  Ｐｒｏｃｅｓｓｉｎｇ  Ｕｎｉｔ）などの演算装置を備えており、携帯端末２００が備える各部を制御する。なお、前記演算装置には処理の一時記憶領域（作業領域）として使用されるＲＡＭ等も含まれる。また、制御部２２０は、外部記録媒体１００又は記憶部２４０に記憶されたデータ及びプログラムなどを読み込んで実行する。本実施形態において、制御部２２０は、インストール部２２１、接続確立部２２２、インストール状況確認部２２３、利用開始受付部２２４、ログイン状況確認部２２５、接続上限時間設定部２２６、接続切断部２２７、情報取得部２２８、行き先特定部２２９、及びアプリケーション選択部２３０を含む。具体的に、制御部２２０は、各種のプログラムに従った処理を実行することにより、インストール部２２１、接続確立部２２２、インストール状況確認部２２３、利用開始受付部２２４、ログイン状況確認部２２５、接続上限時間設定部２２６、接続切断部２２７、情報取得部２２８、行き先特定部２２９、及びアプリケーション選択部２３０として機能する。
【００２２】
記憶部２４０は、ＯＳ又は携帯端末２００の各種機能を制御するプログラム、外部記録媒体１００から読み込んだデータ及びプログラムなどを記憶する半導体メモリなどの不揮発性の記憶部である。
【００２３】
通信部２５０は、予め定められた通信プロトコルに従った処理を実行することにより、公衆回線網３００を経由した通信を行う通信インターフェースである。なお、通信部２５０は、無線ＬＡＮアクセスポイント４００を介した公衆回線網３００への接続も可能である。
【００２４】
表示部２６０は、文字又は画像などの表示を行う液晶ディスプレイ又はプラズマディスプレイなどである。入力部２７０は、ユーザの入力操作に応じた入力信号を生成し、制御部２２０に入力する。携帯端末２００にディスプレイと操作ボタンとを設けることにより表示部２６０と入力部２７０とを別々に構成してもよく、携帯端末２００にタッチパネルを設けることにより表示部２６０と入力部２７０とを一体に構成してもよい。
【００２５】
インストール部２２１は、外部記録媒体１００に記録されたデータを読み込んでアプリケーションのインストールを行う。例えば、アプリケーションをインストールするために読み込まなければならない情報の全てが外部記録媒体１００に記録されている場合は、インストール部２２１が外部記録媒体１００からデータを読み込むことによりアプリケーションのインストールを行う。また、例えば、アプリケーションデータが格納されているサーバにアクセスするためのＵＲＬが外部記録媒体１００に記録されている場合には、外部記録媒体１００が当該サーバとインストール部との間の通信を許可し、インストール部２２１がネットワーク経由で当該サーバと通信してデータをダウンロードすることによりアプリケーションのインストールを行う。この場合、外部記録媒体１００によって当該サーバとインストール部との間の通信が許可される。一方、他の目的の通信については許可されない状態である。接続確立部２２２は、携帯端末２００から公衆回線網３００への接続を確立する。
【００２６】
インストール状況確認部２２３、利用開始受付部２２４、ログイン状況確認部２２５、接続上限時間設定部２２６、接続切断部２２７の機能は、外部記録媒体１００に記録されている各種プログラムを携帯端末２００が読み込み、制御部２２０によって実行されることによって実現される。すなわち、上記外部記録媒体１００には、携帯端末２００の各部が処理を実行し機能を実現するために必要なプログラムが記録されている。
【００２７】
インストール状況確認部２２３は、携帯端末２００に予め設定された特定の前記アプリケーションがインストールされていることを確認する。利用開始受付部２２４は、前記アプリケーションがインストールされている場合に、前記アプリケーションを起動して携帯端末２００を所有するユーザから上記アプリケーションの利用開始の操作を受け付け可能である。ログイン状況確認部２２５は、ユーザが携帯端末２００上でアプリケーションを起動して上記アプリケーションにログインしたか否かを確認する。
【００２８】
接続上限時間設定部２２６は、ログイン状況確認部２２５がログインしなかったことを確認した場合に、携帯端末２００から公衆回線網３００への接続上限時間を設定する。接続切断部２２７は、携帯端末２００から公衆回線網３００への接続時間を累積して接続上限時間に達した時点で、携帯端末２００から公衆回線網３００への接続を切断する。
【００２９】
携帯端末２００から公衆回線網３００への接続は、航空機又は車両に設置された無線ＬＡＮアクセスポイントを介した接続であってもよい。また、外部記録媒体１００に記録されるアプリケーションは２種類以上であることが好ましい。情報取得部２２８は、航空機又は車両に関する情報を取得する。行き先特定部２２９は、航空機又は車両に関する情報に基づいて航空機又は車両の行き先を特定する。そして、アプリケーション選択部２３０は、行き先に応じてインストール部２２１がインストールするアプリケーションを複数のアプリケーションの中から選択する。
【００３０】
＜動作＞
以下、図３〜図９を参照しつつ、携帯端末２００の動作例について説明する。なお、図３〜図９に示されるフローチャートに係る処理は、例えば携帯端末２００に対するユーザ操作に応じて携帯端末２００による公衆回線網３００を介した通信処理が開始される場合、又は携帯端末２００の制御部２２０が、ユーザ操作に応じて携帯端末２００の電源が立ち上げられた場合などに実行される。なお、その他、図３〜図９に示されるフローチャートに係る処理は、携帯端末２００に過去に装着されたことのない外部記録媒体１００が装着された場合のように予め設定されたタイミングで実行されてもよい。また、図３〜図９に示す処理の手順は、一部が省略されることも考えられ、また、処理順序が入れ替えられてもよい。
【００３１】
［第１実施形態］
図３を参照して、第１実施形態に係る携帯端末２００の動作を説明する。携帯端末２００には外部記録媒体１００が挿入されている。携帯端末２００の各部による処理は、外部記録媒体１００に記録されているプログラムを読み込むことにより実行される。
【００３２】
まず、インストール部２２１は、アプリケーションをインストールするインストールステップを実行する（ステップＳ１０１）。インストールステップ完了後、接続確立部２２２は、公衆回線網３００への接続を確立する接続確立ステップを実行する（ステップＳ１０２）。接続が確立されたら処理を終了する。
【００３３】
一般に、アプリケーションの利用状況の把握が困難な旅行者のユーザに対してアプリケーションの利用を促すことは困難である。これに対し、本実施形態では、公衆回線網３００へ接続するためには外部記録媒体１００を携帯端末２００に挿入してアプリケーションをインストールしなければならず、携帯端末２００を所有するユーザは当該アプリケーションを必然的に認知することとなる。このため、アプリケーション提供側からすれば、アプリケーションの認知度を向上させてより多くのユーザに利用してもらう機会を得て、アプリケーションの普及を図ることが可能である。また、携帯端末２００では、外部記録媒体１００が装着されていない場合には、インストールステップ及び接続確立ステップが実行されないため、外部記録媒体１００を意図的に装着したユーザ以外のユーザが保持する携帯端末２００において不要な処理が実行されず、例えばメモリの使用効率の改善、又は、プログラム実行の高速化が図られる。
【００３４】
近年の情報通信回線網の発達に伴い、海外へ移動しても自身が所有する携帯端末を用いてインターネットを利用したいというニーズは高まっている。例えば、海外から来訪してきた旅行者に本実施形態に係る外部記録媒体１００を配布して使用してもらうことで、当該旅行者にとっては自身の携帯端末を用いて公衆回線網に接続できるというメリットがあり、一方でアプリケーション提供側は当該旅行者にアプリケーションを認知してもらうことができる。
【００３５】
本実施形態においてアプリケーションの種類は特に限定されないが、例えば、条件を指定して希望する店舗を検索することが可能な店舗検索用アプリケーションが挙げられる。店舗検索用アプリケーションとしては、例えば、飲食店検索用アプリケーションがある。
【００３６】
店舗検索用アプリケーションを用いて検索可能な店舗は、国又は地域がある程度限定されている場合が多く、宣伝・広告などのマーケティング活動も該当する国又は地域を限定して行われることが多い。このため、国又は地域を跨いで来訪してくる旅行者に対して店舗検索用アプリケーションを訴求することは通常行われていない。しかしながら、本実施形態に係る外部記録媒体１００を旅行者に使用してもらうことによって、旅行者に対しても店舗検索用アプリケーションの存在を認知してもらうことが可能であり、より幅広いユーザに対してアプリケーションの普及を図ることができる。
【００３７】
［第２実施形態］
次に、図４を参照して、第２実施形態に係る携帯端末２００の動作を説明する。なお、以後の実施形態は、第１実施形態と異なる点について説明し、同様の点は同じ符号を付すなどして説明を割愛する。
【００３８】
まず、インストール部２２１は、アプリケーションをインストールするインストールステップを実行する（ステップＳ２０１）。インストールステップ完了後、インストール状況確認部２２３は、携帯端末２００にアプリケーションがインストールされていることを確認するインストール状況確認ステップを実行し（ステップＳ２０２）、アプリケーションがインストールされているか否かを確認する（ステップＳ２０３）。アプリケーションがインストールされていることを確認した場合（ステップＳ２０３：Ｙｅｓ）、接続確立部２２２は、公衆回線網３００への接続を確立する接続確立ステップを実行し（ステップＳ２０４）、接続が確立されたら処理を終了する。
【００３９】
一方で、インストール状況確認ステップにおいてアプリケーションがインストールされていることを確認できなかった場合（ステップＳ２０３：Ｎｏ）、公衆回線網３００へは接続されず（ステップＳ２０５）、処理を終了する。例えば、アプリケーションが携帯端末２００からアンインストールされている場合に、当該アプリケーションがインストールされていないと判断される。即ち、接続確立部２２２は、アプリケーションがインストールされていない場合には公衆回線網３００への接続を制限する。
【００４０】
本実施形態では、公衆回線網３００への接続にあたりアプリケーションが携帯端末２００にインストールされていることを条件としており、インストールステップ完了後にユーザがアプリケーションをアンインストールしてしまうと公衆回線網３００へは接続することができない。したがって、本実施形態によれば、ユーザがアプリケーションをアンインストールする事態を防止して当該アプリケーションの利用機会を増加させることで、アプリケーションの認知度向上を図ることが可能である。また、携帯端末２００では、外部記録媒体１００が装着されていない場合には、アプリケーションがインストールされているか否かを判断するステップが実行されないため、外部記録媒体１００を意図的に装着したユーザ以外のユーザが保持する携帯端末２００において不要な処理が実行されず、例えばメモリの使用効率の改善、又は、プログラム実行の高速化が図られる。
【００４１】
［第３実施形態］
次に、図５を参照して、第３実施形態に係る携帯端末２００の動作を説明する。
【００４２】
まず、インストール部２２１は、アプリケーションをインストールするインストールステップを実行する（ステップＳ３０１）。インストールステップ完了後、利用開始受付部２２４は、アプリケーションを起動し（ステップＳ３０２）、ユーザから当該アプリケーションの利用開始の指示を受け付ける利用開始ステップを実行する（ステップＳ３０３）。利用開始ステップ完了後、接続確立部２２２は、公衆回線網３００への接続を確立する接続確立ステップを実行する（ステップＳ３０４）。接続が確立されたら処理を終了する。
【００４３】
本実施形態において、アプリケーションの利用開始を受け付ける手段は特に限定されない。例えば、表示部２６０にアプリケーションを利用するか否かを選択させる操作ボタンを表示させ、利用する旨の操作ボタンが選択されたことを入力部２７０が感知することによってアプリケーションの利用開始を受け付けてもよい。
【００４４】
本実施形態では、公衆回線網３００への接続にあたりアプリケーションの利用開始を条件としており、アプリケーションをインストールするだけでなく、アプリケーションの利用を開始しなければ公衆回線網３００へは接続できない。したがって、本実施形態によれば、ユーザに対してアプリケーションの利用を促すことができ、アプリケーションの動作を実際に体験してもらうことができる。
【００４５】
［第４実施形態］
次に、図６を参照して、第４実施形態に係る携帯端末２００の動作を説明する。
【００４６】
まず、インストール部２２１は、アプリケーションをインストールするインストールステップを実行する（ステップＳ４０１）。インストールステップ完了後、ログイン状況確認部２２５は、アプリケーションを起動し（ステップＳ４０２）、アプリケーションにログインしたか否かを確認するログイン状況確認ステップを実行する（ステップＳ４０３）。アプリケーションにログインしたことを確認した場合（ステップＳ４０３：Ｙｅｓ）、接続確立部２２２は、公衆回線網３００への接続を確立する接続確立ステップを実行し（ステップＳ４０４）、接続が確立されたら処理を終了する。
【００４７】
一方で、ログイン状況確認ステップにおいてログインしたことを確認できなかった場合、すなわちアプリケーションにログインしなかった場合（ステップＳ４０３：Ｎｏ）、公衆回線網３００へは接続されず（ステップＳ４０５）、処理を終了する。
【００４８】
本実施形態では、公衆回線網への接続にあたりアプリケーションにログインしていることを条件としている。これにより、ユーザに対してアプリケーションの利用を促すことができ、アプリケーションの動作を実際に体験してもらうことができる。また、本実施形態では、アプリケーション提供側はログインユーザを獲得することができ、ログイン情報に紐付いたアクセスログ又はユーザ属性などの情報を取得し蓄積して、アプリケーションの更なる認知度向上のためにこれらの情報を活用することが可能である。
【００４９】
［第５実施形態］
次に、図７を参照して、第５実施形態に係る携帯端末２００の動作を説明する。
【００５０】
まず、インストール部２２１は、アプリケーションをインストールするインストールステップを実行する（ステップＳ５０１）。インストールステップ完了後、ログイン状況確認部２２５は、アプリケーションを起動し（ステップＳ５０２）、アプリケーションにログインしたか否かを確認するログイン状況確認ステップを実行する（ステップＳ５０３）。アプリケーションにログインしたことを確認した場合（ステップＳ５０３：Ｙｅｓ）、接続確立部２２２は、公衆回線網３００への接続を確立する接続確立ステップを実行し（ステップＳ５０４）、接続が確立されたら処理を終了する。
【００５１】
一方で、ログイン状況確認ステップにおいてログインしたことを確認できなかった場合、すなわちアプリケーションにログインしなかった場合（ステップＳ５０３：Ｎｏ）、接続上限時間設定部２２６は、携帯端末２００から公衆回線網３００への接続上限時間を設定する接続上限時間設定ステップを実行する（ステップＳ５０５）。その後、接続確立部２２２は、公衆回線網３００への接続を確立する接続確立ステップを実行する（ステップＳ５０６）。接続切断部２２７は、携帯端末２００から公衆回線網３００への接続時間を累積して、接続時間の合計が接続上限時間に達すると（ステップＳ５０７）、携帯端末２００から公衆回線網３００への接続を切断する接続切断ステップを実行し（ステップＳ５０８）、処理を終了する。
【００５２】
前述の第４実施形態ではアプリケーションにログインしなければ公衆回線網３００へ接続することができないが、本実施形態ではログインしない場合であっても公衆回線網３００へ接続することは可能である。しかしながら、本実施形態ではログインしない場合は接続時間に上限が設けられており、接続上限時間に達すると携帯端末２００と公衆回線網３００との間の接続は切断される。このような構成とすることにより、携帯端末２００を所有するユーザに対してアプリケーションにログインする動機付けを与えることができ、ログインユーザ数の増加を図ることが可能である。
【００５３】
以上詳述した第１実施形態から第５実施形態において、公衆回線網３００への接続は無線ＬＡＮアクセスポイントを介した接続であってもよく、当該無線ＬＡＮアクセスポイントは航空機又は車両に設置されたものであってもよい。航空機は、人が乗って空中を航行する機器であれば特に限定されず、例えば、飛行機、ヘリコプター、飛行船、グライダーなどが挙げられる。車両は、車輪がついた乗り物であれば特に限定されず、例えば、鉄道車両、汽車、自動車などが挙げられる。
【００５４】
［第６実施形態］
次に、図８を参照して、第６実施形態に係る携帯端末２００の動作を説明する。本実施形態では、携帯端末２００を所有するユーザは、無線ＬＡＮアクセスポイントが設置された航空機又は車両に乗っており、携帯端末２００は当該無線ＬＡＮアクセスポイントを介して公衆回線網３００へ接続する。また、外部記録媒体１００には２種類以上のアプリケーションに関する情報が格納されている。
【００５５】
まず、情報取得部２２８は、航空機又は車両に設置された無線ＬＡＮアクセスポイントから上記航空機又は車両に関する情報を取得する情報取得ステップを実行する（ステップＳ６０１）。行き先特定部２２９は、上記航空機又は車両に関する情報に基づいて上記航空機又は車両の行き先を特定する行き先特定ステップを実行する（ステップＳ６０２）。アプリケーション選択部２３０は、行き先特定部２２９が特定した行き先に応じてインストール部２２１がインストールするアプリケーションを選択するアプリケーション選択ステップを実行する（ステップＳ６０３）。インストール部２２１は、アプリケーション選択部２３０が選択したアプリケーションをインストールするインストールステップを実行する（ステップＳ６０４）。インストールステップ完了後、接続確立部２２２は、公衆回線網３００への接続を確立する接続確立ステップを実行する（ステップＳ６０５）。接続が確立されたら処理を終了する。
【００５６】
情報取得部２２８が無線ＬＡＮアクセスポイントから取得する航空機又は車両に関する情報には、航空機又は車両の行き先を特定できる情報が含まれる。例えば、航空機の便名又は車両の列車名と年月日との組み合わせに係る情報が挙げられる。
【００５７】
航空機又は車両の行き先としては、例えば、到着する空港又は駅の名称、到着する空港又は駅が存在する地域名又は国名などが挙げられる。
【００５８】
［第７実施形態］
次に、図９を参照して、第７実施形態に係る携帯端末２００の動作を説明する。
【００５９】
まず、インストール状況確認部２２３は、携帯端末２００にアプリケーションがインストールされていることを確認するインストール状況確認ステップを実行し（ステップ７０１）、アプリケーションがインストールされているか否かを確認する（ステップＳ７０２）。アプリケーションがインストールされていることを確認した場合（ステップＳ７０２：Ｙｅｓ）、接続確立部２２２は、公衆回線網３００への接続を確立する接続確立ステップを実行し（ステップＳ７０５）、接続が確立されたら処理を終了する。
【００６０】
一方、アプリケーションがインストールされていないことを確認した場合（ステップＳ７０２：Ｎｏ）、接続確立部２２２は、公衆回線網３００への接続を確立せずに（ステップＳ７０３）、前記アプリケーションのインストールを促すための誘導通知を実行し（Ｓ７０４）、処理を終了する。これにより、ユーザは、携帯端末２００の公衆回線網３００への接続のためにアプリケーションのインストールが必要である旨を把握することが可能である。そして、アプリケーションのインストールが実行された後、再度、図９に示す処理が開始されることにより、前記ステップＳ７０２においてアプリケーションがインストールされていると判断され（Ｓ７０２）、公衆回線網３００への通信が確立することになる。
【００６１】
以下、本実施形態において、携帯端末２００にインストールされるアプリケーションが店舗検索用アプリケーションであって、店舗が存在する地域ごとに異なる種類のアプリケーションが外部記録媒体１００に記録されている場合を例に挙げて説明する。
【００６２】
外部記録媒体１００には、Ａ地域に存在する店舗が登録されているＡ地域向け店舗検索用アプリケーションと、Ｂ地域に存在する店舗が登録されているＢ地域向け店舗アプリケーションの２種類が記録されている。携帯端末２００の行き先特定部２２９が特定した行き先がＡ地域である場合、アプリケーション選択部２３０は外部記録媒体１００に記録された２種類のアプリケーションの中からＡ地域向け店舗検索用アプリケーションを選択する。
【００６３】
本実施形態では、ユーザが乗っている航空機又は車両の行き先に応じたアプリケーションを選択して携帯端末２００にインストールさせるため、ユーザが目的地に到着した後も継続して当該アプリケーションを利用する可能性を高めることができる。
【００６４】
アプリケーション提供側は、例えば、飛行機に搭乗する前のユーザ又は飛行機に搭乗しているユーザに対して、本実施形態に係る外部記録媒体１００を配布することができる。飛行機に乗ったユーザが上記外部記録媒体１００を携帯端末２００に挿入することによって本実施形態に係る処理が実行されると、飛行機に設置された無線ＬＡＮアクセスポイント経由で衛星通信を介した公衆回線網３００への接続が確立される。
【００６５】
例えば、Ａ国向けアプリケーションのユーザを新規に獲得するためには、従来はＡ国内のユーザに向けて訴求活動を行うことが一般的であった。しかしながら、Ａ国向けアプリケーションの利用者を更に獲得するためには、Ａ国へ来訪してくる旅行者に対してもアプリケーションをアピールし、利用してもらうことが有効であると本発明者は考えた。例えば、Ａ国行きの飛行機に搭乗しているＢ国の人に対して、Ａ国向けアプリケーションが記録された外部記録媒体１００を配布して利用してもらうことにより、Ｂ国の人に対してＡ国向けアプリケーションをアピールすることが可能である。そして、Ａ国到着後に引き続きＡ国向けアプリケーションを使用してもらうことにより、アプリケーションの普及を図ることができる。
【００６６】
以上、本発明を実施するための形態について詳説したが、上述の各実施形態に係る外部記録媒体を挿入した携帯端末も、本発明に含まれる。また、本発明は、図３〜図９で説明したように、携帯端末で実行される複数のステップを含む通信制御方法の発明として捉えてもよい。
【００６７】
なお、上記複数の実施形態は、その構成・動作に矛盾が生じない範囲において、組み合わせて実施することが可能である。例えば、第２実施形態、第３実施形態、第４実施形態又は第５実施形態と第６実施形態とを組み合わせて実施することができる。この場合、第２実施形態（図４）、第３実施形態（図５）、第４実施形態（図６）、第５実施形態（図７）のインストールステップの前に、第６実施形態（図８）の情報取得ステップ、行き先特定ステップ及びアプリケーションステップを実行すればよい。
【符号の説明】
【００６８】
１００  外部記録媒体
２００  携帯端末
２１０  外部記録媒体接続部
２２０  制御部
２２１  インストール部
２２２  接続確立部
２２３  インストール状況確認部
２２４  利用開始受付部
２２５  ログイン状況確認部
２２６  接続上限時間設定部
２２７  接続切断部
２２８  情報取得部
２２９  行き先特定部
２３０  アプリケーション選択部
２４０  記憶部
２５０  通信部
２６０  表示部
２７０  入力部
３００  公衆回線網
４００  無線ＬＡＮアクセスポイント
【図１】
0006781378.tif 000002
【図２】
0006781378.tif 000003
【図３】
0006781378.tif 000004
【図４】
0006781378.tif 000005
【図５】
0006781378.tif 000006
【図６】
0006781378.tif 000007
【図７】
0006781378.tif 000008
【図８】
0006781378.tif 000009
【図９】
0006781378.tif 000010